(57)【要約】【課題】エレベーター乗りかご内の任意の同じ位置でエレベーター情報を計測可能なエレベーター用計測装置を提供する。【解決手段】第１の壁面までの第１の距離を計測可能な第１の距離センサと、第２の壁面までの第２の距離を計測可能な第２の距離センサと、第３の壁面までの第３の距離を計測可能な第３の距離センサと、ドアまでの第４の距離を計測可能な第４の距離センサと、第１の距離、第２の距離、第３の距離、および第４の距離を記憶する記憶部と、第１の距離センサ、第２の距離センサ、第３の距離センサ、および第４の距離センサで計測される各距離に基づいて、出力情報を生成する処理部と、出力情報に基づいて出力を行う出力部と、を設けるようにした。【選択図】図１
2018115075.tif 000002
【特許請求の範囲】
【請求項１】
ドア、前記ドアに対向する第１の壁面、前記第１の壁面とは異なる第２の壁面、前記第２の壁面に対向する第３の壁面を有する乗りかごを備えたエレベーターのエレベーター情報を計測するために、前記乗りかごに設置されるエレベーター用計測装置であって、
前記第１の壁面までの第１の距離を計測可能な第１の距離センサと、
前記第２の壁面までの第２の距離を計測可能な第２の距離センサと、
前記第３の壁面までの第３の距離を計測可能な第３の距離センサと、
前記ドアまでの第４の距離を計測可能な第４の距離センサと、
前記第１の距離、前記第２の距離、前記第３の距離、および前記第４の距離を記憶する記憶部と、
前記第１の距離センサ、前記第２の距離センサ、前記第３の距離センサ、および前記第４の距離センサで計測される各距離に基づいて、出力情報を生成する処理部と、
前記出力情報に基づいて出力を行う出力部と、
を備えることを特徴とするエレベーター用計測装置。
【請求項２】
前記記憶部は、前記エレベーター情報を計測する乗りかごの識別情報を記録し、
前記処理部は、
前記エレベーター情報を計測する際の距離情報であって、前記第１の距離もしくは前記第４の距離の少なくとも何れか、及び前記第２の距離もしくは前記第３の距離の少なくとも何れかを含む前記距離情報を、前記識別情報と共に前記記憶部に登録し、
新規に前記エレベーター情報を計測する際に取得した前記識別情報に基づいて、前記新規にエレベーター情報を計測する乗りかごの過去に登録された前記距離情報の有無を判定し、
前記過去に登録された前記距離情報が有る場合、前記過去及び新規の前記距離情報の各々対応する距離との比較に基づいて前記出力情報を生成する、
ことを特徴とする請求項１に記載のエレベーター用計測装置。
【請求項３】
前記出力情報は、前記エレベーター情報の計測のために前記エレベーター用計測装置が設置される際、前記第１の距離センサ、前記第２の距離センサ、前記第３の距離センサ、および前記第４の距離センサで計測される各距離である、
ことを特徴とする請求項１に記載のエレベーター用計測装置。
【請求項４】
前記処理部は、前記第１の距離センサ、前記第２の距離センサ、前記第３の距離センサ、および前記第４の距離センサで計測される各距離から前記乗りかご内の前記エレベーター用計測装置の位置が所定の範囲内にあるか否かを判定し、
前記出力部は、前記エレベーター用計測装置が前記所定の範囲外にある場合に、前記所定の範囲内に設置するための支援情報を表示する、
ことを特徴とする請求項１または３に記載のエレベーター用計測装置。
【請求項５】
ドア、前記ドアの反対方向にある第１の壁面、前記第１の壁面とは異なる第２の壁面、前記第２の壁面の反対方向にある第３の壁面を有する乗りかごを備えたエレベーターのエレベーター情報を計測するために、前記乗りかごに設置されるエレベーター用計測装置であって、
前記ドアまたは前記第１の壁面の何れか一方までの第１の距離を計測可能な第１の距離センサと、
前記第２の壁面または前記第３の壁面の何れか一方までの第２の距離を計測可能な第２の距離センサと、
前記エレベーター用計測装置が設置されて前記エレベーター情報の計測が行われたときの、前記第１の距離および前記第２の距離を記憶する記憶部と、
前記エレベーター情報の計測のために前記エレベーター用計測装置が設置される際、前記第１の距離センサおよび前記第２の距離センサで計測される各距離と、前記エレベーター情報の計測が過去に行われたときの前記記憶部に記憶された各距離との差が所定の範囲内であるか、
あるいは前記エレベーター用計測装置が設置されて前記エレベーター情報の計測が行われる前記乗りかごの寸法情報に基づいて、前記エレベーター情報の計測のために前記エレベーター用計測装置が設置される際に前記第１の距離センサおよび前記第２の距離センサで計測される各距離が所定の範囲内であるか否かを判定する処理部と、
前記処理部の処理結果に基づいて出力を行う出力部と、
を備えることを特徴とするエレベーター用計測装置。
【請求項６】
ドア、前記ドアの反対方向にある第１の壁面、前記第１の壁面とは異なる第２の壁面、前記第２の壁面の反対方向にある第３の壁面を有する乗りかごを備えたエレベーターのエレベーター情報を計測するために、前記乗りかごに設置されるエレベーター用計測装置における計測方法であって、
第１の距離センサが前記第１の壁面までの第１の距離を計測し、第２の距離センサが前記第２の壁面までの第２の距離を計測し、第３の距離センサが前記第３の壁面までの第３の距離を計測し、第４の距離センサが前記ドアまでの第４の距離を計測する第１のステップと、
記憶部が、前記エレベーター用計測装置が設置されて前記エレベーター情報の計測が行われるときに、前記第１の距離、前記第２の距離、前記第３の距離、および前記第４の距離を記憶する第２のステップと、
処理部が、前記エレベーター情報の計測のために前記エレベーター用計測装置が設置される際、前記第１の距離センサ、前記第２の距離センサ、前記第３の距離センサ、および前記第４の距離センサで計測される各距離と、前記エレベーター情報の計測が過去に行われたときの前記記憶部に記憶された各距離との差が所定の範囲内か否かを判定する第３のステップと、
出力部が、前記処理部の処理結果に基づいて出力を行う第４のステップと、
を備えることを特徴とする計測方法。
【発明の詳細な説明】
【技術分野】
【０００１】
本発明はエレベーター用計測装置およびその計測方法に関し、例えばエレベーターの乗りかごに設置され、エレベーターの診断に用いられるエレベーター情報を計測するエレベーター用計測装置に適用して好適なものである。
【背景技術】
【０００２】
従来、エレベーター用計測装置には、３軸加速度センサ、メモリレコーダなどが搭載され、エレベーターの保守・点検においては、エレベーター用計測装置がエレベーター乗りかご内に設置されてエレベーターが運転され、エレベーター乗りかごの振動が計測される。エレベーター乗りかごの振動をエレベーター用計測装置にて計測し、エレベーター乗りかごの振動を適切に抑制することで、エレベーターの安全の維持および利用者への快適な乗り心地が提供されている。
【０００３】
近年、ケースに３軸加速度センサを収容し、ケース上面には３軸加速度センサの出力に基づいて水平方向の加速度の大きさおよび方向を２次元的に表示する上面表示部を有し、ケース側面には３軸加速度センサの出力に基づいて鉛直方向の加速度を１次元的に表示する側面表示部を有した加速度測定装置が開示されている（特許文献１参照）。
【先行技術文献】
【特許文献】
【０００４】
【特許文献１】特開２０１１−５１７２４号公報
【発明の概要】
【発明が解決しようとする課題】
【０００５】
エレベーターの保守・点検において、エレベーターに係る部品を交換する等の作業前後では、エレベーター乗りかご内の同じ位置での振動が計測され、作業による影響の有無、計測した振動が基準値を満たしているか等が確認される。この際、エレベーターの保守・点検の依頼者の要望、エレベーターの偏荷重等に応じて、振動を計測する位置が一または複数決められることがある。しかしながら、特許文献１に記載の加速度測定装置は、エレベーター乗りかご内の隅に、ケースの２つの側面がエレベーター乗りかご内の２つの壁面と接するように設置されるものであり、エレベーター乗りかごの隅の振動は計測可能であるが、エレベーター乗りかご内の他の同じ位置における振動を正確に計測することができないという問題がある。
【０００６】
本発明は以上の点を考慮してなされたもので、エレベーター乗りかご内の任意の同じ位置でエレベーターの診断に用いられるエレベーター情報を計測可能なエレベーター用計測装置を提案しようとするものである。
【課題を解決するための手段】
【０００７】
かかる課題を解決するため本発明においては、ドア、前記ドアに対向する第１の壁面、前記第１の壁面とは異なる第２の壁面、前記第２の壁面に対向する第３の壁面を有する乗りかごを備えたエレベーターのエレベーター情報を計測するために、前記乗りかごに設置されるエレベーター用計測装置であって、前記第１の壁面までの第１の距離を計測可能な第１の距離センサと、前記第２の壁面までの第２の距離を計測可能な第２の距離センサと、前記第３の壁面までの第３の距離を計測可能な第３の距離センサと、前記ドアまでの第４の距離を計測可能な第４の距離センサと、前記第１の距離、前記第２の距離、前記第３の距離、および前記第４の距離を記憶する記憶部と、前記第１の距離センサ、前記第２の距離センサ、前記第３の距離センサ、および前記第４の距離センサで計測される各距離に基づいて、出力情報を生成する処理部と、前記出力情報に基づいて出力を行う出力部と、を設けるようにした。
【０００８】
また本発明においては、ドア、前記ドアの反対方向にある第１の壁面、前記第１の壁面とは異なる第２の壁面、前記第２の壁面の反対方向にある第３の壁面を有する乗りかごを備えたエレベーターのエレベーター情報を計測するために、前記乗りかごに設置されるエレベーター用計測装置であって、前記ドアまたは前記第１の壁面の何れか一方までの第１の距離を計測可能な第１の距離センサと、前記第２の壁面または前記第３の壁面の何れか一方までの第２の距離を計測可能な第２の距離センサと、前記エレベーター用計測装置が設置されて前記エレベーター情報の計測が行われたときの、前記第１の距離および前記第２の距離を記憶する記憶部と、前記エレベーター情報の計測のために前記エレベーター用計測装置が設置される際、前記第１の距離センサおよび前記第２の距離センサで計測される各距離と、前記エレベーター情報の計測が過去に行われたときの前記記憶部に記憶された各距離との差が所定の範囲内であるか、あるいは前記エレベーター用計測装置が設置されて前記エレベーター情報の計測が行われる前記乗りかごの寸法情報に基づいて、前記エレベーター情報の計測のために前記エレベーター用計測装置が設置される際に前記第１の距離センサおよび前記第２の距離センサで計測される各距離が所定の範囲内であるか否かを判定する処理部と、前記処理部の処理結果に基づいて出力を行う出力部と、を設けるようにした。
【０００９】
また本発明においては、ドア、前記ドアの反対方向にある第１の壁面、前記第１の壁面とは異なる第２の壁面、前記第２の壁面の反対方向にある第３の壁面を有する乗りかごを備えたエレベーターのエレベーター情報を計測するために、前記乗りかごに設置されるエレベーター用計測装置における計測方法であって、第１の距離センサが前記第１の壁面までの第１の距離を計測し、第２の距離センサが前記第２の壁面までの第２の距離を計測し、第３の距離センサが前記第３の壁面までの第３の距離を計測し、第４の距離センサが前記ドアまでの第４の距離を計測する第１のステップと、記憶部が、前記エレベーター用計測装置が設置されて前記エレベーター情報の計測が行われるときに、前記第１の距離、前記第２の距離、前記第３の距離、および前記第４の距離を記憶する第２のステップと、処理部が、前記エレベーター情報の計測のために前記エレベーター用計測装置が設置される際、前記第１の距離センサ、前記第２の距離センサ、前記第３の距離センサ、および前記第４の距離センサで計測される各距離と、前記エレベーター情報の計測が過去に行われたときの前記記憶部に記憶された各距離との差が所定の範囲内か否かを判定する第３のステップと、出力部が、前記処理部の処理結果に基づいて出力を行う第４のステップと、を設けるようにした。
【００１０】
本発明によれば、エレベーター用計測装置が今回と過去とで所定の範囲内の計測位置となったときに、そのことが出力されるので、エレベーター乗りかご内の同じ位置にエレベーター用計測装置を設置することが可能となり、エレベーター乗りかご内の同じ位置におけるエレベーター情報を正確に計測することができるようになる。
【発明の効果】
【００１１】
本発明によれば、エレベーター乗りかご内の任意の同じ位置でエレベーター情報を計測することができる。
【図面の簡単な説明】
【００１２】
【図１】第１の実施の形態によるエレベーター用計測装置の外観図である。
【図２】第１の実施の形態によるエレベーター用計測装置の表示部を示す図である。
【図３】第１の実施の形態によるエレベーター用計測装置の構成を示すブロック図である。
【図４】第１の実施の形態によるエレベーター用計測装置の設置状態を示す図である。
【図５】第１の実施の形態によるエレベーター用計測装置を使用した振動計測の手順に係るフローチャートを示す図である。
【発明を実施するための形態】
【００１３】
以下図面について、本発明の一実施の形態を詳述する。
【００１４】
（１）第１の実施の形態
図１において、１は全体として、第１の実施の形態によるエレベーター用計測装置を示す。エレベーター用計測装置１は、エレベーターの振動を計測（測定）可能な装置であり、図１の（Ａ）に示すように、直方体のケース２と、エレベーター用計測装置１の現在位置等を表示する表示部３と、作業者（エレベーターの保守、点検などを行う者）の各種の操作を受け付ける操作部４と、作業者が電源入切、計測の開始または停止を指示するための電源・開始／停止ボタン操作部５と、エレベーター用計測装置１の状態を表示する表示ランプ部６と、を備える。
【００１５】
また、ケース２の４つの側面の各々には、エレベーター用計測装置１と対象物（エレベーター乗りかごの壁面およびドア）との距離を計測可能な距離センサ７が配置されている。４つの距離センサ７のうちの第１の距離センサ７は、エレベーター用計測装置１（距離センサ７）から第１の方向（例えば前方向）にある対象物までの距離を計測する。第２の距離センサ７は、エレベーター用計測装置１から第１の方向とは反対方向の第２の方向（例えば後方向）にある対象物までの距離を計測する。第３の距離センサ７は、エレベーター用計測装置１から第１の方向と直交する第３の方向（例えば右方向）にある対象物までの距離を計測する。第４の距離センサは、エレベーター用計測装置１から第３の方向とは反対方向の第４の方向（例えば左方向）にある対象物までの距離を計測する。各距離センサ７が設けられる位置は、ケース２の側面の中央に限られるものではなく、各側面の任意の位置に設けることができる。
【００１６】
また、図１の（Ｂ）に示すように、エレベーター用計測装置１は、先端が丸みを有し、材質が金属（例えば鉄）である脚部８をケース２の底面に３つ備える。かかる３つの脚部８によれば、ケース２が３点で支持され、エレベーター用計測装置１をがたつきがなく安定してエレベーター乗りかごに設置できるので、エレベーター乗りかごの振動をエレベーター用計測装置１に確実に伝えることができる。
【００１７】
図２に示すように、エレベーター用計測装置１の上面には、表示部３、操作部４、電源・開始／停止ボタン操作部５、表示ランプ部６が配置されている。
【００１８】
表示部３は、液晶ディスプレイ、有機ＥＬディスプレイ等の表示装置であり、前方向の距離を表示する前方向表示部３ａ、後方向の距離を表示する後方向表示部３ｂ、左方向の距離を表示する左方向表示部３ｃ、右方向の距離を表示する右方向表示部３ｄを含んで構成される。前方向表示部３ａ、後方向表示部３ｂ、左方向表示部３ｃ、および右方向表示部３ｄの各々には、エレベーター用計測装置１の過去（前回、指定日時、所定期間の平均などであるが、以下では前回を例に挙げて説明する。）の設置位置（計測位置）がない場合、現在の位置情報が表示され、前回の設置位置がある場合、前回の設置位置情報と現在の位置情報とが表示される。なお、前方向表示部３ａ、後方向表示部３ｂ、左方向表示部３ｃ、および右方向表示部３ｄを示す枠は、無くてもよいし、他の形状であってもよいし、表示部３に印字等されていてもよいし、表示部３に表示される構成であってもよい。
【００１９】
操作部４は、エレベーター用計測装置１への入力を操作するためのボタン群であり、各種の機能等を選択する方向選択ボタン４ａ、選択した機能等を決定する決定ボタン４ｂ、間違ったとき、前の画面に戻るとき等に使用する戻るボタン４ｃを含んで構成される。
【００２０】
電源・開始／停止ボタン操作部５は、電源を入切時に使用する電源ボタン５ａ、振動の計測の開始／停止時に使用する開始／停止ボタン５ｂを含んで構成される。
【００２１】
表示ランプ部６は、電球、発光ダイオードなどの発光体であり、エレベーター用計測装置１の現在の位置と前回の設置位置とが所定の範囲内にある場合（正しい場合）に点灯する設置位置表示ランプ６ａ、データ記録中に点灯する記録ランプ６ｂを含んで構成される。
【００２２】
図３は、エレベーター用計測装置１の構成を示すブロック図である。エレベーター用計測装置１は、距離センサ７、Ａ／Ｄ変換器２１、加速度センサ２２、Ａ／Ｄ変換器２３、入力部２４、処理部２５、出力部２６、記憶部２７、および電池２８を備える。距離センサ７、Ａ／Ｄ変換器２１は、４つずつ設けられるが、同様の構成であるので、図示を省略する。
【００２３】
距離センサ７は、計測対象物までの距離を検出してアナログ出力信号とし、Ａ／Ｄ変換器２１は、距離センサ７のアナログ出力信号をディジタル出力信号に変換する。加速度センサ２２は、互いに垂直な３軸方向の加速度を検出してアナログ出力信号とし、Ａ／Ｄ変換器２３は、加速度センサ２２のアナログ出力信号をディジタル出力信号に変換する。入力部２４は、作業者からの入力（操作部４の操作、電源・開始／停止ボタン操作部５等）に応じてディジタル出力信号を出力する。処理部２５は、ディジタル信号を処理して後述する種々の制御を行う。例えば、処理部２５は、エレベーター情報（例えば、振動）の計測のためにエレベーター用計測装置１が設置される際、各距離センサ７で計測される各距離を示す情報（出力情報）を生成する。記憶部２７は、Ａ／Ｄ変換器２１、Ａ／Ｄ変換器２３、入力部２４、および処理部２５の出力を保存し、保存された情報は、処理部２５での演算や出力部２６での出力に利用される。出力部２６は、表示部３、表示ランプ部６等であり、処理部２５の処理結果（例えば、出力情報）に基づいて各種の情報を出力する。
【００２４】
なお、処理部２５は、回路などのハードウェアで実現されてもよいし、記憶部２７に記憶されたプログラムをコントローラが読み出して実行されるソフトウェアで実現されてもよい。
【００２５】
図４は、エレベーター用計測装置１の設置状態を示す。図４に示すように、エレベーター乗りかご３０は、エレベーター乗りかご床３０ａ、エレベーター乗りかごドア３０ｂ、エレベーター乗りかごドア３０ｂの反対方向にあるエレベーター乗りかご内後ろ壁面３０ｃ（エレベーター乗りかごドア３０ｂに対向するエレベーター乗りかご内後ろ壁面３０ｃ）、エレベーター乗りかご内後ろ壁面３０ｃとは異なるエレベーター乗りかご内左壁面３０ｄ、エレベーター乗りかご内左壁面３０ｄの反対方向にあるエレベーター乗りかご内右壁面３０ｅ（エレベーター乗りかご内左壁面３０ｄに対向するエレベーター乗りかご内右壁面３０ｅ）、および天井パネル（図示しない。）を含んで構成される。
【００２６】
かかるエレベーター乗りかご３０のエレベーター乗りかご床３０ａ上にエレベーター用計測装置１が設置される。エレベーター用計測装置１の４つの側面に配置されている距離センサ７により、前方向は、エレベーター乗りかごドア３０ｂまでの距離、後方向はエレベーター乗りかご内後ろ壁面３０ｃまでの距離、左方向はエレベーター乗りかご内左壁面３０ｄまでの距離、右方向はエレベーター乗りかご内右壁面３０ｅまでの距離が計測される。また、上面の表示部３に各距離が表示され、作業者は、当該表示をもとにエレベーター用計測装置１の設置位置を調整、決定などできる。
【００２７】
図５は、エレベーター用計測装置１を使用してエレベーター乗りかご３０の振動を計測する計測手順を示す。
【００２８】
まず、作業者は、エレベーター乗りかご３０のエレベーター乗りかご床３０ａ上にエレベーター用計測装置１を仮設置する（ステップＳ１）。
【００２９】
続いて、作業者は、仮設置をしたら、エレベーター用計測装置１の電源ボタン５ａを押下（電源を投入）し、エレベーター用計測装置１が起動する（ステップＳ２）。
【００３０】
続いて、作業者は、エレベーター用計測装置１が起動したら、方向選択ボタン４ａおよび決定ボタン４ｂを使用して計測対象のエレベーターの識別情報（エレベーターを一意に識別可能な情報、例えば製造番号）を入力し、エレベーター用計測装置１は、記憶部２７に記憶する（ステップＳ３）。この際、各距離センサ７は、距離の計測を開始し、エレベーター用計測装置１は、各距離センサ７で計測された距離からエレベーター乗りかご床３０ａの中心（中心位置）を特定し、エレベーター用計測装置１の現在位置を表示部３に表示する。なお、図２に示す中心位置、前後方向を示す線、および左右方向を示す線は、無くてもよいし、表示部３に印字等されていてもよいし、表示部３に表示される構成であってもよい。
【００３１】
続いて、エレベーター用計測装置１は、エレベーターの識別情報をもとに、計測対象のエレベーターについて前回の設置位置の登録データ（距離情報）が記憶部２７に記憶されているか否かを判定する（ステップＳ４）。距離情報は、前方向の距離もしくは後方向の距離の少なくとも何れか、および左方向の距離もしくは右方向の距離の少なくとも何れかを含む距離情報である。
【００３２】
エレベーター用計測装置１は、前回の設置位置の登録データが記憶されていると判定した場合（ステップＳ４でＹＥＳの場合）、前方向表示部３ａ、後方向表示部３ｂ、左方向表示部３ｃ、および右方向表示部３ｄの各々に前回の設置位置を表示する（ステップＳ５）。作業者は、それに合わせてエレベーター用計測装置１の現在位置を調整し、エレベーター用計測装置１は、調整された位置に応じて現在位置を表示部３に表示する（ステップＳ６）。なお、この際、エレベーター用計測装置１は、作業者による開始／停止ボタン５ｂの押下（任意の位置での設置での計測）を検知すると、現在位置を登録データとしてエレベーターの識別情報に対応付けて新規登録し、エレベーター乗りかご３０の振動の計測を開始し、記録ランプ６ｂを点灯させ、処理をステップＳ１２に移すようにしてもよい。
【００３３】
続いて、エレベーター用計測装置１は、現在位置の調整後、設置位置表示ランプ６ａを点灯させるか否か、すなわち前回の設置位置と現在位置（今回の設置位置）とが所定の範囲内にあるか否か（各距離センサ７で計測される各距離からエレベーター乗りかご３０内のエレベーター用計測装置１の位置が所定の範囲内にあるか否か）を判定する（ステップＳ７）。エレベーター用計測装置１は、設置位置表示ランプ６ａを点灯させると判定した場合（ステップＳ７でＹＥＳの場合）、エレベーター用計測装置１の設置が完了し、計測の準備が整ったことを示す情報を表示部３に表示する（ステップＳ８）。他方、エレベーター用計測装置１は、設置位置表示ランプ６ａを点灯させないと判定した場合（ステップＳ７でＮＯの場合）、ステップＳ６にて、各距離（所定の範囲内に設置するための支援情報の一例）を表示部３に表示し、再度エレベーター用計測装置１の現在位置が調整されるのを待つ。
【００３４】
エレベーター用計測装置１は、前回の設置位置の登録データが記憶されていないと判定した場合（ステップＳ４でＮＯの場合）、前方向表示部３ａ、後方向表示部３ｂ、左方向表示部３ｃ、および右方向表示部３ｄの各々に登録データが無いこと示す情報を表示する（ステップＳ９）。続いて、作業者は、計測を所望する位置にエレベーター用計測装置１を設置し、方向選択ボタン４ａおよび決定ボタン４ｂを操作し、現在位置を登録データとしてエレベーターの識別情報に対応付けて新規登録する（ステップＳ１０）。
【００３５】
続いて、作業者は、開始／停止ボタン５ｂを押下し、エレベーター用計測装置１は、エレベーター乗りかご３０の振動の計測を開始し、記録ランプ６ｂを点灯させる（ステップＳ１１）。続いて、作業者は、エレベーター乗りかご３０を上昇・下降させ、エレベーター用計測装置１は、エレベーター乗りかご３０の振動を計測する（ステップＳ１２）。続いて、作業者は、開始／停止ボタン５ｂを押下し、エレベーター用計測装置１は、エレベーター乗りかご３０の振動の計測を終了し、記録ランプ６ｂを消灯させる（ステップＳ１３）。続いて、エレベーター用計測装置１は、計測した振動データを記憶部２７（データロガー部）に保存する（ステップＳ１４）。
【００３６】
以上のように、本実施の形態のエレベーター用計測装置１では、エレベーター用計測装置１が今回と前回とで所定の範囲内の設置位置（同じ設置位置としてもよい。）となったときに、設置位置表示ランプ６ａが点灯されるので、エレベーター乗りかご３０内の同じ位置にエレベーター用計測装置１を設置することが可能となり、エレベーター乗りかご３０内の同じ位置における振動を毎回正確に計測することができるようになる。
【００３７】
また、表示部３には、各距離センサ７で計測された距離が表示されるので、作業者は、かかる表示により、エレベーター用計測装置１の現在位置を客観的（定量的）に把握できるようになる。
【００３８】
また、表示部３には、各距離センサ７で計測された距離に基づいてエレベーター乗りかご床３０ａの中心位置が特定されてエレベーター用計測装置１の現在位置が表示されるので、作業者は、かかる表示により、エレベーター乗りかご床３０ａの中心にエレベーター用計測装置１を容易に設置できるようになる。
【００３９】
（２）第２の実施の形態
本実施の形態のエレベーター用計測装置１は、距離センサ７を２つ備える点が、第１の実施の形態のエレベーター用計測装置１と異なる。
【００４０】
より具体的には、本実施の形態のエレベーター用計測装置１では、ケース２における、前後方向の何れか一方の側面に距離センサ７（距離センサＡ）が１つ配置され、左右方向の何れか一方の側面に距離センサ７（距離センサＢ）が１つ配置される。例えば、ケース２における後方向の側面に距離センサ７（後距離センサ）が配置され、ケース２における右方向の側面に距離センサ７（右距離センサ）が配置された場合、エレベーター用計測装置１の後方向のエレベーター乗りかご内後ろ壁面３０ｃとの距離は、後距離センサにより計測され、エレベーター用計測装置１の前方向のエレベーター乗りかごドア３０ｂとの距離は、エレベーター乗りかご３０の寸法（前後方向の長さ）から、後距離センサにより計測された距離が減算されて算出される。同様に、エレベーター用計測装置１の右方向のエレベーター乗りかご内右壁面３０ｅとの距離は、右距離センサにより計測され、エレベーター用計測装置１の左方向のエレベーター乗りかご内左壁面３０ｄとの距離は、エレベーター乗りかご３０の寸法（左右方向の長さ）から、右距離センサにより計測された距離が減算されて算出される。
【００４１】
ここで、エレベーター乗りかご３０の寸法は、ステップＳ３において、作業者により入力されてもよいし、エレベーターの識別情報に対応付けて管理者等により記憶部２７に予め記憶されていてもよい。
【００４２】
かかるエレベーター用計測装置１では、振動の計測のためにエレベーター用計測装置１が設置される際、距離センサＡおよび距離センサＢで計測される各距離と、振動の計測が前回に行われたときの記憶部２７に記憶された各距離との差が所定の範囲内であるか否かが判定される。また、距離センサが２つの場合は、前回の距離と比較するだけでなく、初めて測定する場合であっても、エレベーター乗りかご３０の寸法情報がある場合、位置の判断が可能であるので、エレベーター用計測装置１が設置されて振動の計測が行われるエレベーター乗りかご３０の寸法情報に基づいて、振動の計測のためにエレベーター用計測装置１が設置される際に距離センサＡおよび距離センサＢで計測される各距離が所定の範囲内であるか否かが判定されてもよい。
【００４３】
上述のエレベーター用計測装置１では、距離センサ７が２つであるが、第１の実施の形態のエレベーター用計測装置１と同様の効果が得られる。なお、第１の実施の形態および第２の実施の形態については、エレベーター乗りかご３０内の所定の個所にエレベーター用計測装置１を置くために、少なくとも距離センサ７のデータを用いることで、実現可能であり、同じ技術思想である。
【００４４】
（３）他の実施の形態
なお上述の第１及び第２の実施の形態においては、本発明をエレベーター用計測装置１に適用するようにした場合について述べたが、本発明はこれに限らず、この他種々の計測装置に広く適用することができる。
【００４５】
また上述の第１及び第２の実施の形態においては、エレベーター用計測装置１がエレベーター情報として振動を計測する場合について述べたが、本発明はこれに限らず、エレベーター用計測装置１が振動に加えてまたは替えて、音を計測するようにしてもよい。なお、エレベーター情報は、振動、音に限られるものではなく、エレベーターの診断に用いられる他の情報であってもよい。
【００４６】
また上述の第１及び第２の実施の形態においては、エレベーター用計測装置１の現在位置が前回の設置位置と所定の範囲内の位置になったときに設置位置表示ランプ６ａを点灯することにより、前回と今回とで所定の範囲内の位置に設置されることを示す構成について述べたが、本発明はこれに限らず、前回と今回とで所定の範囲内の位置に設置されることを示す情報を表示部３に表示するようにしてもよいし、出力部２６としてスピーカを設け、前回と今回とで所定の範囲内の位置に設置されることを示す音、音声などをスピーカより出すようにしてもよい。
【００４７】
また上述の第１及び第２の実施の形態においては、エレベーター用計測装置１は、調整された位置に応じて現在位置を表示部３に表示する場合について述べたが、本発明はこれに限らず、エレベーター用計測装置１は、「あと何センチメートル右に移動してください。」というように、エレベーター用計測装置１を前回の設置位置まで移動させるために必要な情報（支援情報の一例）を出力するようにしてもよい。かかる構成によれば、エレベーター用計測装置１を前回の設置位置により迅速に設置できるようになる。
【００４８】
また上述の第１及び第２の実施の形態においては、出力部２６は、距離センサ７で計測された距離などを表示する場合について述べたが、本発明はこれに限らず、処理部２５が距離センサ７からの出力が無いと判定した場合、出力部２６は、エレベーター乗りかご３０のドアを閉める旨の情報を出力するようにしてもよい。また、例えば、処理部２５が、距離センサ７で計測された距離が０に近く、距離センサ７に手、物などがあたっていると判定した場合、出力部２６は、距離センサ７から手、物などを放すことを促す旨の情報を出力するようにしてもよい。また、例えば、エレベーターの識別情報に対応付けて、偏荷重がかかる位置（偏荷重位置）を記憶部２７に予め記憶し、出力部２６は、偏荷重位置を表示するようにしてもよい。
【００４９】
また上述の第１及び第２の実施の形態においては、出力部２６は、前回の設置位置を表示する場合について述べたが、本発明はこれに限らず、出力部２６は、過去の設置位置を複数表示するようにしてもよい。
【００５０】
また上述の第１及び第２の実施の形態においては、入力部２４と出力部２６とが別々に設けられる場合について述べたが、本発明はこれに限らず、タッチパネルを有するディスプレイのように入力部２４と出力部２６とが一体として設けられるようにしてもよい。
【００５１】
また上述の第１及び第２の実施の形態においては、距離センサ７で計測された計測値（距離の情報）が記憶部２７に記憶される場合について述べたが、本発明はこれに限らず、距離センサ７で計測された計測値がサーバ装置で一元管理されるようにしてもよい。この構成によれば、複数のエレベーター用計測装置が用いられて保守・点検が行われる場合に、何れのエレベーター用計測装置で設置位置が登録されても、何れのエレベーター用計測装置でもその設置位置を取得（把握）できるようになる。
【００５２】
また上述の第２の実施の形態においては、エレベーター乗りかご３０の寸法の情報が、ステップＳ３において作業者により入力される、または管理者等により記憶部２７に予め記憶される場合について述べたが、本発明はこれに限らず、ステップＳ３において、製造番号の入力が行われた際、製造番号に対応する寸法の情報が自動に取得されるようにしてもよい。この際、寸法の情報は、記憶部２７に記憶されていてもよいし、他の装置から取得されてもよい。
【符号の説明】
【００５３】
１……エレベーター用計測装置、２……ケース、３……表示部、４……操作部、５……電源・開始／停止ボタン操作部、６……表示ランプ部、７……距離センサ、８……脚部
【図１】
2018115075.tif 000003
【図２】
2018115075.tif 000004
【図３】
2018115075.tif 000005
【図４】
2018115075.tif 000006
【図５】
2018115075.tif 000007